(57)【特許請求の範囲】
【請求項１】
帯状ウエブを定長に切断する一対又は複数対の切断ロールを含む多重折畳紙形成に寄与する複数のロールを備え、該複数のロールが夫々備えるギヤを介して連動回転する構成を有すると共に上記対となる各切断ロールは対向して相対回転し一方の切断ロールが備える切断刃と他方の切断ロールが備える切断刃とを摺接して上記帯状ウエブを切断する構成を有する多重折畳紙の形成装置であって、上記切断刃同士の摺接位置又は非摺接位置を検出し該切断刃同士の非摺接位置において上記連動回転を停止する回転停止手段を設けると共に、上記多重折畳紙形成に寄与する複数のロールの少なくとも一つのロールが備えるギヤに噛合する逆転防止用ギヤを着脱可能に設けたことを特徴とする多重折畳紙の形成装置。
【請求項２】
上記回転停止手段は、上記多重折畳紙形成に寄与する複数のロールの何れか一つのロールが備えるギヤ又は該ギヤに噛合する別のギヤにエンドレスベルトを介して連結し回転する回転体と、該回転体に設けられ同回転体の回転中心から放射状に延びる複数の羽体と、該各羽体の回転軌道に沿い設けられ該各羽体の通過を検出し回転停止信号を発信するセンサーとから成り、該各羽体を上記切断刃同士の摺接位置又は非摺接位置で上記センサーを通過するように調整することを特徴とする請求項１記載の多重折畳紙の形成装置。
【請求項３】
上記逆転防止用ギヤは内部にカムクラッチ機構を備えることを特徴とする請求項１又は請求項２の何れかに記載の多重折畳紙の形成装置。
【発明の詳細な説明】
【技術分野】
【０００１】
本発明は、例えばティッシュボックス内に連続取出しが行えるように収容されるティッシュペーパーの如き多重折畳紙の形成装置に関する。
【背景技術】
【０００２】
従来の多重折畳紙の形成装置は、例えば下記特許文献１の図１，図２に示すように、一対の切断ロール１ａ，１ｂ間に帯状ウエブＷ１を、他の一対の切断ロール１ａ′，１ｂ′間に帯状ウエブＷ１′を夫々給紙し、これを定長に切断して単葉ウエブＷ２とＷ２′を形成し、該単葉ウエブＷ２とＷ２′の中間部を、一次腰折りロール４ａ，４ａ′にて一次腰折してウエブＷ３，Ｗ３′を形成し、この一次腰折りウエブＷ３，Ｗ３′を二次腰折りロール７ａ，７ａ′にて二次腰折りして二次腰折りウエブＷ４，Ｗ４′を交互に形成し、オーバーラップ形態を形成しながら上記二次腰折りウエブＷ４，Ｗ４′を平積みして多重折畳紙Ｗ５を形成する。
【０００３】
そして上記切断ロール、フォーミングロールたる上記一次腰折りロール及び上記二次腰折りロール等の多重折畳紙の形成に寄与する複数のロールは、夫々が備えるギヤを介して連動回転する構成となっている。
【０００４】
又本願図２に示すように、上記一対の切断ロール１ａ，１ｂの内、一方の切断ロール１ａは、その外周面に該切断ロール１ａの軸方向に沿って該軸方向に対し斜めに配設した切断刃２ａを複数備えると共に、他方の切断ロール１ｂは、その外周面に該切断ロール１ｂの軸方向に沿って該軸方向と並行に配設した切断刃２ｂを複数備えており、該切断刃２ａ，２ｂ同士が交差し摺接して上記帯状ウエブＷ１を切断する。又図示の如く、上記切断刃２ａと上記切断刃２ｂは互いに逆向きに傾斜し突出した状態で摺接する。当該切断刃の構成は上記他の一対の切断ロール１ａ′,１ｂ′においても同様である。以下、上記他の一対の切断ロール１ａ′，１ｂ′が備える切断刃も夫々２ａ，２ｂとして説明する。
【先行技術文献】
【特許文献】
【０００５】
【特許文献１】特許第３１５１１９９号公報
【発明の概要】
【発明が解決しようとする課題】
【０００６】
上記従来の多重折畳紙の形成装置にあっては、上記各切断刃２ａ，２ｂが摺接した状態で上記連動回転を停止すると、その反動により上記各切断ロール１ａ，１ｂ（１ａ′，１ｂ′）が逆回転し、上記各切断刃２ａ，２ｂを不要に摩耗してしまい、これら切断刃の寿命を縮めてしまうという問題点を有していた。
【０００７】
又オペレーターミスにより、上記各切断刃２ａ，２ｂが摺接した状態で上記連動回転を停止又は逆回転して上記各切断ロール１ａ，１ｂ（１ａ′，１ｂ′）を停止又は逆回転し、上記各切断刃２ａ，２ｂを不要に摩耗してしまう問題点を有していた。
【０００８】
特に上記特許文献１の装置のように、対となる切断ロール１ａ，１ｂ（１ａ′，１ｂ′）が相対回転し、夫々の切断ロールが備える切断刃２ａ，２ｂが互いに逆向きに突出している装置においては、上記摩耗の問題が顕著となる。
【課題を解決するための手段】
【０００９】
本発明に係る多重折畳紙の形成装置は、上記切断刃同士が摺接しない位置で上記連動回転を適切に停止し、切断刃の不要な摩耗を有効に防止する。又上記連動回転停止時の逆回転を有効に防止する。
【００１０】
要述すると、本発明に係る装置は、帯状ウエブを定長に切断する一対又は複数対の切断ロールを含む多重折畳紙形成に寄与する複数のロールを備え、該複数のロールが夫々備えるギヤを介して連動回転する構成を有すると共に上記対となる各切断ロールは対向して相対回転し一方の切断ロールが備える切断刃と他方の切断ロールが備える切断刃とを摺接して上記帯状ウエブを切断する構成を有する多重折畳紙の形成装置を前提として、上記切断刃同士の摺接位置又は非摺接位置を検出し該切断刃同士の非摺接位置において上記連動回転を停止する回転停止手段を設ける構成を有し、切断刃の不要な摩耗を有効に防止する。
又上記多重折畳紙形成に寄与する複数のロールの少なくとも一つのロールが備えるギヤに噛合する逆転防止用ギヤを着脱可能に設ける構成により、上記連動回転停止時の反動による逆回転、又はオペレーターミスによる逆回転を有効に防止すると共に、形成途中の紙（ウエブ）が詰まってしまった場合等には取り外して上記複数のロールが逆回転できるようにする。
【００１１】
好ましくは、上記回転停止手段は、上記多重折畳紙形成に寄与する複数のロールの何れか一つのロールが備えるギヤ又は該ギヤに噛合する別のギヤにエンドレスベルトを介して連結し回転する回転体と、該回転体に設けられ同回転体の回転中心から放射状に延びる複数の羽体と、該各羽体の回転軌道に沿い設けられ該各羽体の通過を検出し回転停止信号を発信するセンサーとから成り、該各羽体を上記切断刃同士の摺接位置又は非摺接位置で上記センサーを通過するように調整する。
【００１３】
好ましくは、上記逆転防止用ギヤは内部にカムクラッチ機構を備え、簡易構造で有効に逆回転を防止する。
【発明の効果】
【００１４】
本発明に係る多重折畳紙の形成装置によれば、対となる切断ロールの切断刃同士が摺接しない位置で該切断ロールを含む複数のロールの連動回転を適切に停止し、切断刃の不要な摩耗を有効に防止する。
【００１５】
又上記連動回転停止時の各ロールの逆回転を有効に防止し、もって対となる切断ロールの逆回転を防止する。
【図面の簡単な説明】
【００１６】
【図１】本発明に係る多重折畳紙の形成装置を構成する複数のロールを右側面側から概示する説明図。
【図２】対となる切断ロールが夫々備える切断刃を概示する拡大図。
【図３】本発明に係る多重折畳紙の形成装置を概示する平面図。
【図４】本発明に係る多重折畳紙の形成装置を構成する複数のロールのギヤを概示する左側面図。
【図５】本発明に係る多重折畳紙の形成装置を構成する複数のロールのギヤを概示する右側面図。
【図６】回転停止手段を拡大して示す斜視図。
【図７】逆転防止用ギヤを拡大して示す斜視図。
【発明を実施するための形態】
【００１７】
以下、本発明の実施例を図１乃至図７に基づき詳述する。
【００１８】
本実施例は、従来例として前記特許文献１に基づき説明した多重折畳紙の形成装置に本発明を実施した場合について示している。
【００１９】
即ち本実施例に係る多重折畳紙の形成装置は、図１に示す如く、一対の切断ロール１ａ，１ｂ間に帯状ウエブＷ１を、他の一対の切断ロール１ａ′，１ｂ′間に帯状ウエブＷ１′を夫々給紙し、これを定長に切断して単葉ウエブＷ２とＷ２′を形成し、該単葉ウエブＷ２とＷ２′の中間部を、一次腰折りロール４ａ，４ａ′にて一次腰折してウエブＷ３，Ｗ３′を形成し、この一次腰折りウエブＷ３，Ｗ３′を二次腰折りロール７ａ，７ａ′にて二次腰折りして二次腰折りウエブＷ４，Ｗ４′を交互に形成し、オーバーラップ形態を形成しながら上記二次腰折りウエブＷ４，Ｗ４′を平積みして多重折畳紙Ｗ５を形成する。
【００２０】
又図２に示す如く、一対の切断ロール１ａ，１ｂの一方の切断ロール１ａの外周面には該切断ロール１ａの軸方向に沿って該軸方向に対し斜めに薄刃状の切断刃２ａが設けられており、他方の切断ロール１ｂの外周面には該切断ロール１ｂの軸方向に沿って該軸方向と並行に厚刃状の切断刃２ｂが設けられており、該切断刃２ａ，２ｂ同士が交差し摺接して上記帯状ウエブＷ１を切断する構成となっている。該切断刃２ａ，２ｂは上記切断ロール１ａ，１ｂの夫々の外周面に等間隔を置いて複数配設される。
【００２１】
又図２に示す如く、上記切断刃２ａ，２ｂは互いに逆向きに傾斜し突出した状態で摺接する。当該構成は上記他の一対の切断ロール１ａ′,１ｂ′においても同様である。本発明は上記切断刃２ａ，２ｂの上記帯状ウエブＷ１切断時以外の不要な摩耗を適切に防止するために開発されたものである。
【００２２】
図３乃至図５に示す如く、上記一対の切断ロール１ａ，１ｂと上記他の一対の切断ロール１ａ′，１ｂ′を含む複数のロール（一次腰折りロール４ａ，４ａ′、二次腰折りロール７ａ，７ａ′）は夫々が備えるギヤを介して連動回転する構成となっている。
【００２３】
図３は本実施例に係る多重折畳紙の形成装置を概示する平面図である。図３中のＥ１は当該装置の左側面を示しており、Ｅ２は同右側面を示している。切断ロール１ａ，１ｂ（１ａ′，１ｂ′）等の各ロールは、左側面Ｅ１側又は／及び右側面Ｅ２側にギヤを備え、これらギヤが噛合し、複数のロールが連動回転するよう構成されている。オペレーターは主に左側面Ｅ１側から当該装置の操作を行う。
【００２４】
＜左側面Ｅ１側の構成＞
まず、図４に基づき、左側面Ｅ１側について詳述する。左側面側Ｅ１において、一次腰折りロール４ａはギヤ４ｂを備え、他の一次腰折りロール４ａ′はギヤ４ｂ′を備えている。又二次腰折りロール７ａはギヤ７ｂを備え、他の二次腰折りロール７ａ′はギヤ７ｂ′を備えている。
【００２５】
後記するように上記二次腰折りロール７ａは連動回転の駆動源たるモータＭと連結し該モータＭから直接回転力を伝えられる。そして該二次腰折りロール７ａのギヤ７ｂが上記他の二次腰折りロール７ａ′のギヤ７ｂ′に噛合し回転力を伝えると共に、同ギヤ７ｂが上記一次腰折りロール４ａのギヤ４ｂに噛合し回転力を伝える。又上記回転力を伝えられた他の二次腰折りロール７ａ′のギヤ７ｂ′が上記他の一次腰折りロール４ａ′のギヤ４ｂ′に噛合し回転力を伝える。
【００２６】
又後記回転停止手段３を構成する回転停止用ギヤ３ｂを配設し、上記二次腰折りロール７ａのギヤ７ｂに噛合する。
【００２７】
＜右側面Ｅ２側の構成＞
次いで、図５に基づき、右側面Ｅ２側について詳述する。右側面Ｅ２側において、一次腰折りロール４ａはギヤ４ｃを備え、他の一次腰折りロール４ａ′はギヤ４ｃ′を備えている。又二次腰折りロール７ａはギヤ７ｃを備えると共にエンドレスベルト８を介して連動回転の駆動源たるモータＭと連結されている。
【００２８】
又一対の切断ロール１ａ，１ｂの一方（図中上側）の切断ロール１ａはギヤ１ｃを、同他方（図中下側）の切断ロール１ｂはギヤ１ｄを夫々備えている。更に他の一対の切断ロール１ａ′、１ｂ′の一方の切断ロール１ａ′はギヤ１ｃ′を、同他方の切断ロール１ｂ′はギヤ１ｄ′を夫々備えている。尚図中６は上記一対の切断ロール１ａ，１ｂの夫々のギヤ１ｃ，１ｄと噛合する中間ギヤであり、同６′は上記他の一対の切断ロール１ａ′，１ｂ′の夫々のギヤ１ｃ′，１ｄ′と噛合する中間ギヤである。
【００２９】
そして、モータＭから二次腰折りロール７ａへ付与された回転力は、当該ロールのギヤ７ｃ、一次腰折りロール４ａのギヤ４ｃ、他方の切断ロール１ｂのギヤ１ｄ、中間ギヤ６を介して、一方の切断ロール１ａのギヤ１ｃへと伝動され、複数のロールが連動回転する。尚一方の切断ロール１ａと他方の切断ロール１ｂは中間ギヤ６により相対回転する。
【００３０】
又モータＭから付与された二次腰折りロール７ａへ付与された回転力は、既述した左側面Ｅ１側におけるギヤ７ｂ、他の二次腰折りロール７ａ′のギヤ７ｂ´、他の一次腰折りロール４ａ′のギヤ４ｂ′を介して同一次腰折りロール４ａ′に伝動されると共に、右側面Ｅ２側におけるギヤ４ｃ′、他の対となる切断ロールの他方の切断ロール１ｂ′のギヤ１ｄ′、中間ギヤ６′を介して、一方の切断ロール１ａ′のギヤ１ｃ′へと伝動され、複数のロールが連動回転する。尚一方の切断ロール１ａ′と他方の切断ロール１ｂ′は中間ギヤ６′により相対回転する。
【００３１】
又上記他の一対の切断ロール１ａ′，１ｂ′の他方１ｂ′はギヤ１ｄ′の裏側に該ギヤ１ｄ′と同心回転するギヤ１ｅ′を備え、該ギヤ１ｅ′には後記逆転防止用ギヤ５が噛合している。
【００３２】
以上のように、本実施例に係る多重折畳紙の形成装置は、多重折畳紙の形成に寄与する複数のロールがギヤを介して連動回転するように構成されている。したがって当然に一対の切断ロール１ａ，１ｂ及び他の一対の切断ロール１ａ′，１ｂ′も上記連動回転によって回転し、切断刃２ａと切断刃２ｂを交差し摺接して帯状ウエブＷ１，Ｗ１′を切断することとなる。
【００３３】
尚本実施例においては、二対の切断ロールを有する場合として説明するが、本発明はこれに限られるものではなく、一対の切断ロールのみを有する場合、三対以上の切断ロールを有する場合も実施に応じ任意である。
【００３４】
又フォーミングロールたる一次腰折りロールや二次腰折りロールの数は特に限定せず、腰折りの回数も特に限定しない。
【００３５】
更に形成装置が腰折りロール以外の多重折畳紙の形成に寄与するロール（例えば、ウエブ掻き落とし用のロール等）を有する場合を包含する。又ロールはバー状のものを包含する。
【００３６】
＜回転停止手段＞
本実施例にあっては、前記した構成を有する多重折畳紙の形成装置において、回転停止手段３を設け、オペレーターにより回転停止操作が行われた場合に、一対の切断ロール１ａ，１ｂが夫々備える切断刃２ａ，２ｂ及び他の一対の切断ロール１ａ′，１ｂ′が夫々備える切断刃２ａ，２ｂが摺接していない位置において、複数のロールの連動回転を停止し、もって上記切断刃２ａ，２ｂが不要に摩耗するのを適切に防止する。
【００３７】
上記回転停止手段３は、図４，図６に示すように、二次腰折りロール７ａが備えるギヤ７ｂと噛合に噛合する回転停止用ギヤ３ｂにエンドレスベルト３ｃを介して連結し回転する回転体３ａと、該回転体３ａに設けられ同回転体３ａの回転中心から放射状に延びる二枚の羽体３ｄと、該各羽体３ｄの回転軌道に沿い設けられ該各羽体３ｄの通過（該各羽体３ｄの先端の通過）を検出し回転停止信号を発信するセンサー３ｅとから成る。
【００３８】
上記羽体３ｄは切断刃２ａ，２ｂ同士の摺接位置又は非摺接位置で上記センサー３ｅを通過するように配設位置、枚数、先端幅等を調整する。上記羽体３ｄを上記切断刃同士の摺接位置で上記センサー３ｅを通過するように調整した場合には、該センサー３ｅは上記羽体３ｄの通過を検出しないときに回転停止信号をモータＭ側に伝え複数のロールの連動回転を停止する。逆に上記羽体３ｄを上記切断刃同士の非摺接位置で上記センサー３ｅを通過するように調整した場合には、該センサー３ｅは上記羽体３ｄの通過を検出したときに回転停止信号をモータＭ側に伝え複数のロールの連動回転を停止する。
【００３９】
尚上記羽体３ｄの配設位置、枚数、先端幅等の調整は、対となる切断ロール１ａ，１ｂ及び１ａ′，１ｂ′と上記二次腰折りロール７ａとの回転比率（ギア径、ギア数の比率）、該二次腰折りロール７ａと上記回転停止用ギヤ３ｂとの回転比率（ギア径、ギア数の比率）に基づいて行うことは勿論である。
【００４０】
又本実施例にあっては、上記のように、上記二次腰折りロール７ａのギヤ７ｂに噛合する上記回転停止用ギヤ３ｂ、即ち多重折畳紙形成に寄与する複数のロールの何れか一つのロールが備えるギヤに噛合する別のギヤにエンドレスベルトを介して上記回転体３ａを連結した例を示したが、本発明ではこれに限らず、多重折畳紙の形成に寄与する複数のロールの何れかのロールが備えるギヤ、例えば上記二次腰折りロール７ａのギヤ７ｂに直接エンドレスベルトを介して上記回転体３ａを連結することも実施に応じ任意である。但し本実施例のように回転停止用ギヤ３ｂを設けることにより、羽体３ｄの枚数等の調整が自在に行える。
【００４１】
＜逆転防止用ギヤ＞
本実施例にあっては、図７に示すように、前記した構成を有する多重折畳紙の形成装置において、切断ロール１ｂ′が備えるギヤ１ｅ′、即ち多重折畳紙形成に寄与する複数のロールの何れか一つのロールが備えるギヤに噛合する逆転防止用ギヤ５を着脱可能に設ける。該逆転防止用ギヤ５は内部に既知のカムクラッチ機構９を備え、図７において左回転のみし右回転はできない構成となっている。
【００４２】
本発明にあっては、上記逆転防止用ギヤ５により、複数のロールの連動回転停止時の反動による逆転、又はオペレーターミスによる逆転を有効に防止し、もって一対の切断ロール１ａ，１ｂ及び他の一対の切断ロール１ａ′，１ｂ′の逆回転を防止して切断刃２ａ，２ｂの摩耗を防ぐ。
【００４３】
又形成途中の紙（ウエブ）が詰まってしまった場合等には上記逆転防止用ギヤ５を取り外して連動回転する複数のロールを逆回転することができる。
【００４４】
尚本実施例にあっては、図７に示すように、上記逆転防止用ギヤ５と噛合する上記切断ロール１ｂ′が備えるギヤ１ｅ′は回転力を他のギヤ（中間ギヤ６′）に伝動するギヤ１ｄ′とは別体に設けている。
【００４５】
以上のように、本発明に係る多重折畳紙の形成装置によれば、回転停止手段３により、対となる切断ロール１ａ，１ｂ（１ａ′，１ｂ′）の切断刃２ａ，２ｂ同士が摺接しない位置で該各切断ロールを含む複数のロールの連動回転を適切に自動停止し、切断刃の不要な摩耗を有効に防止する。
【００４６】
又逆転防止用ギヤ５により、上記連動回転停止時の各ロールの逆回転を有効に防止し、もって対となる切断ロールの逆回転を防止して切断刃の不要な摩耗を防ぐ。更に該逆転防止用ギヤ５は上記連動回転に直接寄与せず、しかも着脱可能に設けられているため、形成途中のウエブが詰まる等の非常事態においては、上記連動回転の逆回転を許容する。
【符号の説明】
【００４７】
１ａ，１ａ′…切断ロール（一方の切断ロール）、１ｂ，１ｂ′…切断ロール（他方の切断ロール）、１ｃ，１ｃ′…切断ロール（一方の切断ロール）のギヤ、１ｄ，１ｄ′，１ｅ′…切断ロール（他方の切断ロール）のギヤ、２ａ…切断刃（一方の切断刃）、２ｂ…切断刃（他方の切断刃）、３…回転停止手段、３ａ…回転体、３ｂ…回転停止用ギヤ、３ｃ…エンドレスベルト、３ｄ…羽体、３ｅ…センサー、４ａ，４ａ′…一次腰折りロール、５…逆回転防止用ギヤ、６，６′…中間ギヤ、７ａ，７ａ′…二次腰折りロール、７ｂ，７ｂ′…二次腰折りロールのギヤ（Ｅ１側）、７ｃ…二次腰折りロールのギヤ（Ｅ２側）、８…エンドレスベルト、９…カムクラッチ機構、Ｗ１，Ｗ１′…帯状ウエブ、Ｗ２，Ｗ２′…単葉ウエブ、Ｗ３，Ｗ３′…一次腰折りウエブ、Ｗ４，Ｗ４′…二次腰折りウエブ、Ｗ５…多重折畳紙、Ｅ１…多重折畳紙の形成装置の左側面、Ｅ２…多重折畳紙の形成装置の右側面。
【図１】
0005841640.tif 000002
【図２】
0005841640.tif 000003
【図３】
0005841640.tif 000004
【図４】
0005841640.tif 000005
【図５】
0005841640.tif 000006
【図６】
0005841640.tif 000007
【図７】
0005841640.tif 000008